(57)【要約】  デバイス識別のためのシステムおよび方法は、デバイスによって放出された電磁放射干渉信号を検出するよう適合された受信機と、受信機に動作可能に接続されたマイクロプロセッサとを含む。マイクロプロセッサは、電磁放射信号の少なくとも１つのデバイス特性パラメータを識別することができる。システムは、デバイスに関連する少なくとも１つの一定または予測された将来的な特性値を格納するためのメモリを含み、マイクロプロセッサは、電磁放射信号を放出したデバイスを識別および認識するために、検出された特性パラメータを少なくとも１つの一定または予測された将来的な特性値と比較することができる。
2016500809.tif 000002
【特許請求の範囲】
【請求項１】
デバイスを識別するためのシステムであって、
前記デバイスによって放出された電磁放射信号を検出するように適合された受信機と、
前記受信機に動作可能に接続されたマイクロプロセッサであって、前記電磁放射信号の少なくとも１つの特性を識別し、前記電磁放射信号の前記少なくとも１つの特性を既知の値と比較することによって、前記電磁放射信号を放出したデバイスを識別するように適合されたマイクロプロセッサと、
前記マイクロプロセッサと通信し、前記デバイスが前記電磁放射信号を放出したと前記マイクロプロセッサが識別した場合に、動作を実行するように適合された実行モジュールと
を含むデバイスを識別するためのシステム。
【請求項２】
前記マイクロプロセッサは、前記電磁放射信号の前記少なくとも１つの特性パラメータを前記デバイスに関連する少なくとも１つの格納された将来的な特性値と比較することによって、前記電磁放射信号を放出したデバイスを識別するように適合された請求項１に記載のシステム。
【請求項３】
前記デバイスに関連する前記少なくとも１つの格納された将来的な特性値を格納するために前記マイクロプロセッサに接続されたメモリをさらに含む請求項２に記載のシステム。
【請求項４】
前記少なくとも１つの格納された将来的な特性値は、前記デバイスに関連する少なくとも１つの予測された将来的な特性値を含み、
前記マイクロプロセッサは、較正期間の間に前記少なくとも１つの予測された将来的な特性値を発生させるように適合された
請求項２に記載のシステム。
【請求項５】
前記マイクロプロセッサは、前記予測された将来的な特性値を発生させるために、前記特性パラメータの既知の値を補外する請求項４に記載のシステム。
【請求項６】
前記マイクロプロセッサは、前記少なくとも１つの特性パラメータの値が、前記少なくとも１つの格納された将来的な特性値の１％内にある場合、前記電磁放射信号を放出したデバイスを識別する請求項２に記載のシステム。
【請求項７】
前記受信機は、複数のデバイスから複数の電磁放射信号を検出するように適合され、
前記マイクロプロセッサは、前記複数の電磁放射信号の各電磁放射信号の少なくとも１つの特性パラメータを識別し、前記複数の電磁放射信号の各電磁放射信号の前記少なくとも１つの特性パラメータを前記少なくとも１つの格納された将来的な特性値と比較することによって、前記複数のデバイスのどのデバイスが前記電磁放射信号を放出したかを識別するように適合された
請求項２に記載のシステム。
【請求項８】
前記実行モジュールは、前記マイクロプロセッサが前記デバイスの識別が成功した場合に、ドアを開けるように関連するシステムに命令する請求項１に記載のシステム。
【請求項９】
前記マイクロプロセッサは、前記電磁放射信号から複数の特性パラメータを抽出し、前記複数の特性パラメータを複数の格納された将来的な特性値と比較するように適合された請求項１に記載のシステム。
【発明の詳細な説明】
【技術分野】
【０００１】
本発明は、機械およびデバイスの識別に関する。
【背景技術】
【０００２】
たとえば自動車を含む、機械およびデバイスの識別のための１つの手法は、サイズ、形状、色などのデバイス特性に基づく場合がある。しかし、これらは通常一意的ではないため、識別目的のために同様のデバイスを区別するために、これらの特性を使用するのは難しい。たとえば、形状および色は、同じモデルおよび色である２台の自動車を区別するのに適切ではない場合がある。さらに、色などのデバイス特性の中には、容易に変更することができるため、識別がさらに不確実になるものがある。たとえば、自動車の色は、識別を回避するという明白な目的のために変更することができる。
【０００３】
より個別化された識別を実現するために、機械およびデバイスには、多くの場合、それらの識別を支援するために、数字またはラベルなど、属性または特徴が割り当てられる。たとえば、自動車は、識別番号、番号が付けられたプレート、番号が付けられたステッカーなどに基づいて識別することができる。しかし、これらの割り当てられた属性または特徴は、通常、機械またはデバイスの本来の特性ではなく、識別の取り組みを回避するための不正な目的のために取り外しかつ／または変更することができる。
【発明の概要】
【課題を解決するための手段】
【０００４】
一実施形態によると、デバイス識別のためのシステムは、デバイスによって放出された電磁放射信号を検出するように適合された受信機と、受信機に動作可能に接続されたマイクロプロセッサとを含む。電磁放射信号は、デバイスによって生成された干渉信号の場合がある。マイクロプロセッサは、電磁放射信号の少なくとも１つの特性を識別し、電磁放射信号の少なくとも１つの特性を既知の値と比較することによって、デバイスを識別するように適合される。
【０００５】
一実施形態によると、マイクロプロセッサは、電磁放射信号の少なくとも１つの特性パラメータをデバイスに関連する少なくとも１つの格納された将来的な特性値と比較することによって、電磁放射信号を放出したデバイスを識別するように適合される。
【０００６】
一実施形態によると、システムは、デバイスに関連する少なくとも１つの格納された将来的な特性値を格納するためのメモリを含む。
【０００７】
一実施形態によると、マイクロプロセッサは、電磁放射信号の複数の特性パラメータを抽出することができる。マイクロプロセッサは、また、複数の特性パラメータを複数の格納された将来的な特性値と比較することができる。
【０００８】
一実施形態によると、マイクロプロセッサは、較正期間の間にデバイスに関連する少なくとも１つの予測された将来的な特性値を発生させることができる。一部の実施形態では、マイクロプロセッサは、予測される将来的な特性値を発生させるために、特性パラメータの既知の値を補外することができる。
【０００９】
一実施形態によると、システムは、少なくとも１つの特性パラメータの値が少なくとも１つの格納された将来的な特性値の特定の許容範囲（たとえば１％）内にある場合、電磁放射信号を放出したデバイスを認識および識別することができる。
【００１０】
一実施形態によると、受信機は、複数のデバイスからの複数の電磁放射信号を検出するよう適合することができ、マイクロプロセッサは、複数の電磁放射信号の各電磁放射信号の少なくとも１つの特性パラメータを識別するように適合することができる。マイクロプロセッサは、複数の電磁放射信号の各電磁放射信号の少なくとも１つの特性パラメータを少なくとも１つの格納された将来的な特性値と比較することによって、複数のデバイスのどのデバイスが電磁放射信号を放出したかを識別することができる。
【００１１】
一実施形態によると、システムは、マイクロプロセッサによるデバイスの識別および認識が成功した後に、動作を実行するよう適合されたマイクロプロセッサと通信する実行モジュールを含むことができる。
【００１２】
一実施形態によると、実行モジュールは、マイクロプロセッサによるデバイスの識別および認識が成功した後に、関連するシステム（たとえばドア・オープナ）に命令することができる。
【００１３】
一実施形態によると、実行モジュールは、マイクロプロセッサによるデバイスの認識および識別が成功したことについて通知するように適合されたディスプレイを含む。
【００１４】
一実施形態によると、実行モジュールはマイクロプロセッサによるデバイスの認識および識別が成功した後に、充電ステーションを解放することができる。
【００１５】
一実施形態によると、デバイスの識別のためのシステムは、デバイスによって放出された電磁放射（干渉信号の場合がある）を検出するように適合された受信機および受信機に動作可能に接続されたマイクロプロセッサを含み、マイクロプロセッサは、電磁放射から少なくとも１つの特性パターンを抽出するように適合されている。システムは、また、デバイスに関連する少なくとも１つの将来的な特性パターンを格納するために、マイクロプロセッサに接続されたメモリを含む。マイクロプロセッサは、電磁放射の少なくとも１つの特性パターンがメモリに格納された少なくとも１つの将来的な特性パターンに一致するかどうかを決定するために、電磁放射の少なくとも１つの特性パターンをメモリに格納された少なくとも１つの格納された将来的な特性パターンと比較することによって、デバイスを識別するように適合される。
【００１６】
一実施形態によると、システムは、また、マイクロプロセッサと通信する実行モジュールを含む。電磁放射の少なくとも１つの特性パターンがメモリに格納された少なくとも１つの将来的な特性パターンに一致するとマイクロプロセッサが決定した場合、実行モジュールは動作を実行することができる。
【００１７】
一実施形態によると、マイクロプロセッサは、電磁放射の複数の特性パターンを識別し、複数の特性パターンをメモリに格納された複数の将来的な特性パターンと比較するように適合させることができる。
【００１８】
一実施形態によると、デバイス識別のための方法は、電磁放射信号を検出するステップと、電磁放射信号の少なくとも１つの特性を識別するステップとを含む。電磁放射信号は、デバイスによって生成される干渉信号の場合がある。方法は、電磁放射信号の少なくとも１つの検出された特性を既知の値と比較することによって、デバイスが電磁放射信号を放出したことを識別するステップをさらに含む。
【００１９】
一実施形態によると、方法は、また、少なくとも１つの検出された特性をデバイスに関連する少なくとも１つの格納された特性と比較するステップと、少なくとも１つの検出された特性がデバイスに関連する少なくとも１つの格納された特性に一致する場合に、デバイスが電磁放射信号を放出したと識別するステップとを含む。
【００２０】
一実施形態によると、方法は、また、少なくとも１つの検出された特性が少なくとも１つの格納された特性に一致する場合に、デバイスに関連する少なくとも１つの格納された特性を更新することを含むことができる。
【００２１】
一実施形態によると、方法は、また、電磁放射信号の少なくとも第２の特性を識別するステップと、第２の特性をデバイスに関連する少なくとも第２の格納された特性と比較するステップとを含むことができる。方法は、少なくとも１つの検出された特性が少なくとも１つの格納された特性に一致し、第２の検出された特性が第２の格納された特性に一致する場合に、デバイスが電磁放射信号を放出したと識別するステップをさらに含むことができる。
【００２２】
一実施形態によると、方法は、また、検出された特性の既知の値を補外することによって、較正期間の間にデバイスに関連する少なくとも１つの格納された予測された将来的な特性を発生させるステップを含むことができる。
【００２３】
これらおよび他の実施形態は、添付の図面に関して、本明細書の以下の詳細な説明を考慮して明白になるであろう。
【図面の簡単な説明】
【００２４】
【図１】実施形態によるシステムを示す概略図である。
【図２】実施形態による代表的な外部放射信号を示す図である。
【図３】実施形態による代表的な外部放射信号を示す図である。
【図４】図１のシステムの較正のための実施形態を示す流れ図である。
【図５】図１のシステムにおけるパラメータの格納および予測のための実施形態を示すコンスタレーション図である。
【図６】図１のシステムによるデバイス検出のための実施形態を示す流れ図である。
【発明を実施するための形態】
【００２５】
図１を参照すると、デバイス１２から放出された外部電磁放射信号１４を通じた機械またはデバイス１２の識別のためのシステム１０を示している。外部電磁放射信号１４は、より詳しくは以下に記述するように、意識的に生成された信号ではなく、デバイスによって生成された干渉信号である。
【００２６】
デバイス１２は、自動車、輸送装置、飛行機、または船など電気機械的な機能を持つことができ、電気モーター、電力スイッチなど１つまたは複数の内部従属構成要素１６を含む。これらの内部従属構成要素１６は、電気機械的な機能をデバイス１２に提供する。しかし、ほとんどの電気機械的な構成要素と同様に、内部従属構成要素１６は、電磁放射１８を放出する。つまり稼働中に、何よりも、寄生的な結合を引き起こす可能性があるため、典型的には望ましくない干渉である。デバイス１２は、デバイス１２からエンクロージャまたは容器２０の外部に放出されている電磁放射１８の量を遮蔽および最小限にするために、内部従属構成要素１６が配置されるエンクロージャまたは包装の２０を含むことができる。容器２０は、そのため、電磁放射１８が他の外部デバイス（図示せず）に干渉するのを防ぐように機能する。しかし、容器２０によって引き起こされる遮蔽にもかかわらず、電磁放射１８およびその内部反射２２の一部は、デバイス１２からまだ放出される。デバイス１２が起動されると、これらの放射は、外部電磁放射の形で信号１４を作り出す。
【００２７】
この外部電磁放射信号１４は、通常、ランダム・ノイズの主な部分に加えて、１つまたは複数の内部従属構成要素１６の内部機能プロセスから生じる、決定的なパターンのはるかに小さな部分を含む。たとえば、パターンは、従来の電気モーターの整流子接触または高速に切り替える電力電子回路から生じる周期成分を含む場合がある。これらの決定的なパターンは、特定の内部従属構成要素１６の動作に特有であり、したがって、デバイス１２に特有である。したがって、より詳しくは以下に記述するように、決定的なパターンの特性は分離することができ、システム１０によってデバイス１２の識別に使用することができる。
【００２８】
さらに図１を参照すると、機械またはデバイス１２の識別のためのシステム１０は、マイクロプロセッサ２６に接続された受信機２４を含み、マイクロプロセッサ２６は次に、メモリ２８および実行系２９に接続されている。受信機２４は、アンテナ３０を含むことができ、デバイス１２によって放出された外部放射信号１４を検出するように適合される。アンテナ３０の特性は、当業者には容易に理解されるように、デバイス１２からの予期される電磁放射信号１４に依存している。たとえば、一部の実施形態では、アンテナは、不十分な干渉除去を用いるデバイス１２から外部放射信号１４を受信できる数百キロヘルツの受信帯域幅を持つことができる。これらの実施形態では、受信機２４のアンテナ３０は、単に、外部放射信号１４を検出するためにデバイス１２に隣接して、たとえば数メートルの範囲内に位置する必要がある場合がある。他の実施形態では、受信機２４は、デバイス１２との見通し線に配置することができ、たとえば、システム外部の信号干渉の有害な影響など、外部環境の影響を最小限にするために、指図されたアンテナ３０と共に干渉除去のために既知の技術を実装することができる。
【００２９】
受信機２４は、電磁放射信号１４を受信し、またはそこから得た信号をマイクロプロセッサ２６に中継する。マイクロプロセッサ２６は、外部放射信号１４の少なくとも１つの特性パターンを識別するために、外部放射信号１４を分析するためのコンピュータ可読コードを含むことができ、外部放射信号１４は、デバイス１２の一意的な特徴を表し、したがって、デバイス１２を識別するために使用することができる。マイクロプロセッサ２６は、より詳しくは以下に記述するように、デバイス１２の識別のために少なくとも１つの特性パターンを使用することができる。
【００３０】
一部の実施形態では、システム１０は、また、受信機２４とマイクロプロセッサ２６との間に配置されたシグナル・コンディショナ３２を含むことができる。上記のように、外部放射信号１４は、ランダム・ノイズに加えて、１つまたは複数の内部従属構成要素１６の内部機能プロセスから生じる決定的なパターンを含む。シグナル・コンディショナ３２は、信号からのノイズを復調および／またはフィルタすることができる。たとえば、一部の実施形態では、シグナル・コンディショナ３２は、外部放射信号１４の特性パターンを規定する、対象となる特定の周波数の近くに帯域通過を適用することによって、信号をフィルタすることができる。シグナル・コンディショナ３２は、また、復調およびフィルタされた信号を増幅し、かつ／またはマイクロプロセッサ２６で処理する前にアナログからデジタルへの変換を実行することができる。
【００３１】
図２および図３を参照すると、図１に示すシグナル・コンディショナ３２による信号調節および前処理後の時間領域および周波数領域における外部放射信号１４の代表的な実施形態について、それぞれ示している。信号復調なしで示しているが、外部放射信号１４が変調される一部の実施形態では、図１に示すシグナル・コンディショナ３２は、また、上に記述したように、図１に示すマイクロプロセッサ２６による処理の前に外部放射信号１４を復調することができる。図１に示すマイクロプロセッサ２６は、以下に規定するように、受信された無線周波電力Ｐを分析することができる。
【００３２】
【数１】
2016500809.tif 000003
ここで、Ｖ（ｔ）は、時間に応じた外部放射信号の電圧であり、Ｚはインピーダンスである。
図２に示す時間領域では、図１に示すマイクロプロセッサ２６は、パルス波形、デューティ・サイクル、およびパルス周波数など受信された無線周波電力の特徴的なパルス・シーケンスに関する情報だけでなく、これらの数の一次的および／または二次的な派生物を得るために、外部放射信号１４の受信された無線周波電力Ｐの特性パラメータを抽出および分析することができる。
【００３３】
図１に示すマイクロプロセッサ２６は、また、たとえばフーリエ変換を通じて、受信された無線周波電力Ｐを図３に示す周波数領域に変換し、次にデバイス識別のための特性パラメータとして使用するために、外部放射信号１４の特性周波数およびそれらの振幅に関するスペクトル情報を得るために、周波数分布を分析するか、またはスペクトル分析を使用する。
【００３４】
上記のように、外部放射信号１４は、図１に示す１つまたは複数の内部従属構成要素１６の内部機能プロセスから生じる決定的なパターンを含む。これらの決定的なパターンは、図１に示すシステム１０によって検出された受信された無線周波電力Ｐに影響し、図１に示すシステム１０によって検出された上記の特性の振る舞いを規定する。たとえば、決定的なパターンは、受信された無線周波電力Ｐに、特定のパルス周波数、時間領域におけるパルス波形および／もしくはデューティ・サイクル、ならびに／または異なるデバイスによって放出されるであろうものとは異なる周波数領域における独特の特性周波数および振幅を提供することができる。なぜなら、それらは、電気モーターのコレクタ・コンタクトの掻き傷、特徴的な電源切り替え回路の構成要素の特定の寸法などのために接触抵抗が変動することから生じる振動など個々または本来のデバイス特性の結果として生じるためである。したがって、これらの検出された特性は、デバイス１２を識別するために署名として使用することができる。なぜなら、図１に示す１つまたは複数の内部従属構成要素１６の内部機能プロセスから生じる決定的なパターンは、図１に示すデバイス１２に独特であるためである。
【００３５】
図４を参照すると、外部放射信号１４を通じてデバイス１２の識別を実現するために、図１に示すシステム１０は、デバイス１２に対して最初に較正しなければならない。較正するために、３６で較正期間の期限が切れるまで、図１に示すシステム１０は、３４で外部放射信号１４を検出し取り込む。マイクロプロセッサ２６は、経過した時間に応じて特性の検出された値の変化を観察するために、受信された外部放射信号１４、特に３８で較正期間を通じて上に記述した特性の１つまたは複数を分析する。たとえば、図１に示す従属構成要素１６の継続的な摩耗により、デバイス１２が動作すると、特性パラメータの一部の値は、時間と共に徐々に変化する場合がある。特性を分析するときに、マイクロプロセッサ２６は最初に、固定（たとえば不変）または決定的な老化パターンを持つ特性を識別することによって、どの特性がデバイス識別に適切かを決定するため、較正期間の間に観察された既知の振る舞いに基づいて、特性の将来的な値を予測することができる。たとえば、マイクロプロセッサ２６は、特性パターンを抽出するために、相関分析およびベイズのアルゴリズムなど既知の数学的手順を使用して、外部放射信号１４を分析することができ、較正期間にわたってその特性パラメータの振る舞いをモデル化する各特性パラメータに対する多数の特定の値を提供するために、各特性パラメータが時間と共にどのように変動するかを決定するために、回帰分析を含む代表的な方法を使用することができる。特性パラメータの振る舞いは、デバイス１２の内部従属構成要素１６（図１に図示）に少なくとも部分的によるため、分析で識別された特定の値は、デバイス１２の個々の構成要素の特性に間接的に関係する。
【００３６】
たとえば、一部の実施形態では、個々のデバイス特性（たとえば、電気モーターのコレクタ・コンタクトの掻き傷、または特徴的な電源切り替え回路の構成要素の特定の寸法のために接触抵抗が変動することから生じる振動）は、受信された無線周波電力Ｐにおける変化を引き起こす場合があり、これにより、電磁放射信号１４の周波数分布が変化する。マイクロプロセッサ２６は、較正期間の間に受信された受信された無線周波電力Ｐの周波数分布に相関する電磁放射信号１４から特性信号パラメータを抽出するために、較正期間の間に検出された周波数分布の相関分析を実行することができる。したがって、相関分析により、受信された無線周波電力Ｐの周波数分布をモデル化し、したがって、デバイス１２の外部放射信号１４をモデル化する特性パラメータを得ることができる。当業者は理解されるように、上に記述した様々な数学的な手順は、特性パラメータを発生させるためにデバイス１２の電磁放射信号１４の振る舞いをモデル化するために、マイクロプロセッサ２６によって実装することができる。好ましくは、マイクロプロセッサ２６は、較正期間の間に、時間領域および周波数領域の両方において、上に記述した外部放射信号１４の様々な特性をモデル化するために特定の値を発生させる。
【００３７】
マイクロプロセッサ２６が、較正期間にわたって外部放射信号１４の特性をモデル化するために特定の値を発生させたら、３９で、マイクロプロセッサ２６は、識別された特性パラメータのいずれかが不変（つまり固定または一定）かどうかを決定する。識別された特性パラメータのいずれかが不変である場合、マイクロプロセッサ２６は、４０で、メモリ２８に一定の将来的な値として、これらの不変の特性パラメータの特定の値を格納する。なぜなら、これらの一定のパラメータの摩耗特性を分析することが必要ではない場合があるためである。望まれる場合、時間にわたって少しまたは非常に徐々の老化パターンを示す特性パラメータは、不変パラメータとしてマイクロプロセッサ２６によって認識、分析、およびモデル化ができることを当業者は理解されるであろう。より詳しくは以下に記述するように、図１に示すシステム１０により、格納された値への将来的な更新が可能である場合、徐々の老化パターンを示す分析およびモデル化された特性パラメータは、特に有利な場合がある。なぜなら、そうすることで、外部放射信号１４をモデル化するのに必要な時間および計算能力が減る可能性があるためである。
【００３８】
４１で、適切な場合、次に、マイクロプロセッサ２６は、各一定でない特性パラメータの予測された将来的な値を発生させる。特に、上に記述したように、デバイス１２の一部の特性パラメータは、図１に示す内部従属構成要素１６の摩耗などのために年数と共に徐々に変化する場合がある。したがって、４１で、マイクロプロセッサ２６は、特性パラメータの老化予測およびその特定の値を発生させるために、これらの一定でない特性パラメータを分析する。たとえば、老化予測は、較正期間の間に観察される老化に依存して、上に記述した回帰分析、自己回帰移動平均など時間にわたるか、または時系列分析による簡素な補外、自己回帰和分移動平均（ａｕｔｏｒｅｇｒｅｓｓｉｖｅ  ｉｎｔｅｇｒａｔｅｄ  ｍｏｖｉｎｇ  ａｖｅｒａｇｅ）、ホルト・ウィンタース法などに基づくことができる。次に、マイクロプロセッサ２６は、較正を完了するために、４２で、予測される将来的な特性値として、一定でないが決定的な特性パラメータの特定の値および老化予測をメモリ２８に格納する。
【００３９】
図５を参照すると、代表的なコンスタレーション図４４は、図１に示すマイクロプロセッサ２６が、図２および図３に示す電磁放射信号１４の２つの特性パラメータＸおよびＹに対する値および予測を図１に示すメモリ２８にどのように格納できるかを示している。特性パラメータＸおよびＹは、相互に独立することができ、上に記述した様々な特性パラメータのいずれかの場合がある（たとえば、パルス周波数、時間領域におけるパルス波形および／もしくはデューティ・サイクルならびに／または周波数領域における特性周波数および振幅）。簡潔さのために２つのパラメータのみを示しているが、図１に示すメモリ２８に格納された値および予測を持つ特性パラメータの数は、はるかに高い場合があることを当業者は理解されるであろう。コンスタレーション図４４は、時間の経過と共に様々な特性パラメータＸ、Ｙなどの変化を視覚的に表している。コンスタレーション図４４では、トラック４６は、時間の経過と共にマップされた特性パラメータＸ、Ｙなどのすべての変化に依存して、トラック４６の軌道、傾斜、および曲率を用いて、様々な時間点でパラメータＸおよびＹを接続することができる。トラック４６は、時間の経過と共にパラメータＸおよびＹがどのように変化するかを示す、既知の部分４８および予測的な部分５０を含む。既知の部分４８は、たとえば、上に記述した較正期間の場合があり、時間Ｔ１に、それぞれパラメータＸおよびＹに対する測定された値Ｘ１およびＹ１、および時間Ｔ２に、それぞれパラメータＸおよびＹに対する測定された値Ｘ２およびＹ２を含む。簡潔さのために、既知の２点のみ（つまりＸ１／Ｙ１およびＸ２／Ｙ２）を既知の部分４８に示しているが、トラック４６の振る舞いを適切に予測するために信頼性が高い補間を提供するために、さらに多くの点が恐らく必要であろうことを当業者は理解されるであろう。予測的な部分５０は、上に記述したように、既知の部分４８の補外の場合があり、時間Ｔｎに、それぞれパラメータＸおよびＹに対して予測された値ＸｎおよびＹｎを示している。トラック４６は、摩滅などによる推論されるパラメータＸおよびＹへの変更を示している。コンスタレーション図４４に見られるように、トラック４６の属性（たとえば傾斜および曲率）は、また、時間の経過と共にゆっくり変化し、したがって、これらの属性だけでなく、その一次的な派生物は、また、図１に示すデバイス１２を識別するために使用される特性の場合がある。
【００４０】
図６を参照すると、動作において、図１に示すシステム１０は、デバイス１２を識別するために、格納された特性値および予測を使用することができる。たとえば、図１に示すシステム１０は、５２で、デバイス１２が図１に示す受信機２４の範囲にある場合、外部放射信号１４を検出し、マイクロプロセッサ２６に外部放射信号１４を中継する。５４で、マイクロプロセッサ２６は、図１に示す受信機２４から（または信号調節が実装されている場合は図１に示すコンディショナ３２から）外部放射信号１４を受信し、デバイスを識別する目的のために、外部放射信号１４の１つまたは複数の特性パラメータを分析する。特に、マイクロプロセッサ２６は、各特性パラメータに対する検出された値を提供するために、実質的に同じ方法で、較正の間に選択された同じ特性パラメータを分析する。マイクロプロセッサ２６が、関係する各特性パラメータに対する検出された値を決定すると、マイクロプロセッサ２６は、５６で、検出された値をメモリ２８に格納された予測された将来的な値と比較する。５８で、値がメモリ２８に格納された予測された将来的な値に一致するとマイクロプロセッサ２６が決定した場合、マイクロプロセッサ２６は、６０でデバイス１２を肯定的に識別する。５８で、値がメモリ２８に格納された予測された将来的な値に一致しないとマイクロプロセッサ２６が決定した場合、マイクロプロセッサ２６は、デバイス１２を肯定的に識別しない。
【００４１】
一部の実施形態では、マイクロプロセッサ２６は、５８で、各特性パラメータに対する予測された将来的な値について、検出された値が規定された範囲内にある場合、検出された値が予測された将来的な値に一致すると決定することができる。たとえば、一部の実施形態では、予測された将来的な値の１％内にある検出された値は、マイクロプロセッサ２６によって一致と見なすことができる。他の実施形態では、予測された将来的な値の５％または１０％内にある検出された値は、図１に示すシステム１０の意図したアプリケーションに依存して、マイクロプロセッサ２６により一致と見なすことができる。さらに、デバイス１２を識別する場合、図１に示すシステム１０は、複数の特性パラメータの組合せを使用することができる。なぜなら、より多くの独立した特性パラメータがデバイス識別に使用されるほど、デバイスの混乱または誤認がある可能性が低くなるためである。
【００４２】
さらに図６を参照すると、マイクロプロセッサ２６が、６０でデバイス１２を肯定的に識別する場合、マイクロプロセッサ２６は、６２で意図した機能を実行するように、図１に示した実行モジュール２９に命令することができる。図１に示した実行モジュール２９は、デバイス１２の特性パラメータおよび値を表示するため、またはマイクロプロセッサ２６によってデバイス１２の識別の成功を通知するために、たとえばディスプレイを単に含むことができる。一部の実施形態では、図１に示す実行モジュール２９は、車両のために車庫の扉を開ける（たとえばデバイス１２が車両である場合）、デバイス認証手順が成功した後に充電ステーションを解放する、または事前の認証および承認を必要とする他の同様の活動を行うなどの動作を実行するように、電子システムまたは電気機械システムに命令するなど、適切な動作処置をとることができる。
【００４３】
一部の実施形態では、マイクロプロセッサ２６が、６０でデバイス１２を肯定的に識別した場合、マイクロプロセッサ２６は、また、６４で、メモリ２８に格納された老化特性を含む、予測された将来的なパラメータ値を更新することができる。これにより、図１に示すシステム１０は、将来的なデバイス識別のために特性パラメータをより正確にモデル化および予測していることを保証することができ、予測された将来的な値に関する特定の範囲内にある検出された値は、検出された値と予測された値との間の変化に対応するために一致と見なされる場合に特に有利な場合がある。
【００４４】
マイクロプロセッサ２６が、５８で、メモリ２８に格納された予測された将来的な値に値が一致しないと決定した場合（たとえば、６６で、マイクロプロセッサ２６がデバイス１２を肯定的に識別しない場合）、マイクロプロセッサは、５２で、図１に示すシステム１０が外部放射信号１４を適切に検出したかどうか、ならびに５４で、マイクロプロセッサ２６が特性パラメータを適切に識別および抽出したかどうかを評価することができる。たとえば、マイクロプロセッサ２６は、外部放射信号１４が検出されなかったか、もしくは弱すぎたか、ならびに／または特性パラメータを識別および抽出するには多すぎるノイズを含んでいたかを評価することができる。マイクロプロセッサ２６が、６６で、信号検出および／または特性パラメータの認識が失敗だったと決定した場合、図１に示すシステム１０は、プロセスを再開し、意味のある信号を受信することを試みることができる。あるいは、マイクロプロセッサ２６が、５８で、デバイス１２を肯定的に識別せず、６６で、信号検出および特性パラメータの認識が成功したと決定した場合、マイクロプロセッサは、６８で、拒否システムをトリガーすることができる。拒否システムは、たとえば、「アクセス拒否」メッセージを表示するステップと、アラームをトリガーするステップと、デバイス１２が図１に示すシステム１０によって認識されなかったことを示すために光または同様の望まれるシステムを点灯させるステップとを含むことができる。
【００４５】
図１に示すシステム１０は、デバイス１２からの行動を必要としない受動的な手順の場合があり、したがって、デバイス１２には本質的に感知不能の場合がある。さらに、図１に示すシステム１０がデバイス１２の一意的な特性に完全に依存しているため、図１に示すシステム１０により、誤認識またはデバイス混乱の可能性が最小限になる。
【００４６】
デバイス識別のための図１に示すシステム１０は、追加的な識別アドオンまたはタグ、プレート、ステッカー、数字などの割り当てられた属性に依存する必要がない場合があり、これにより、不正な目的のために誰かがデバイスの識別資格情報を変更および／または取り除くことがはるかに困難になる。さらに、割り当てられた識別属性を排除することで、たとえば、警察による使用またはデバイスの所有権が変更されたときなど、図１に示すシステム１０を匿名での再識別に特に適したものにすることができる。
【００４７】
一部の実施形態では、図１に示すシステム１０は、図１に示す外部放射信号１４のフィンガープリントまたは特性を変更しようと試みるデバイスの不正変更に対処するために、図１に示すメモリ２８に格納された完全なパラメータ・セットを比較するのではなく、格納された特性パラメータの部分集合を比較することができる。たとえば、泥棒は、図１に示す従属構成要素１６の一部を交換することによって、盗難車の図１に示す外部放射信号１４を変更することを試みる場合がある。したがって、このデバイスの不正変更を克服するために、図１に示す外部放射信号１４が少し変更された場合でも、盗まれた車両を識別するか、または盗まれた車両の探索を少なくとも絞り込むために、図１に示すシステム１０は、車両に対して格納された特性パラメータの部分集合を比較するように設定することができる。
【００４８】
本発明は、その詳細な実施形態に関して図示および記述してきたが、本発明の精神および範囲から逸脱することなく、その形態および詳細に様々な変更を行えることを当業者は理解されるであろう。たとえば、システムは、デバイス識別のためにデバイスによって放出された無線周波数電磁放射から特性パラメータを抽出するものとして記述してきたが、そこに接続されたデバイスの識別のために、実施された電磁放射を送電網から直接的に抽出するために、システムは、アンテナなしで、送電網にも接続できることを当業者は理解されたい。さらに、システムは、たとえば、アンテナをマイクロフォンに取り替えることによって、車両が出す音によって車両を識別するために、音響信号を使用して、音響識別のために実装できることを当業者は理解されたい。
【図１】
2016500809.tif 000004
【図２】
2016500809.tif 000005
【図３】
2016500809.tif 000006
【図４】
2016500809.tif 000007
【図５】
2016500809.tif 000008
【図６】
2016500809.tif 000009
【国際調査報告】
2016500809.tif 000010
2016500809.tif 000011
2016500809.tif 000012